(57)【特許請求の範囲】
【請求項１】
前後に対向する商品の収納部を上下複数段に配置するとともに、後側収納部の商品を商品搬出装置で前側収納部に搬送する自動販売機において、
前記商品搬出装置は前側収納部の商品を載せる網棚と、後側収納部の商品を載せる商品トレーと、該商品トレーを前後に案内する軌道軸と、該商品トレーを前方に付勢するバネ手段とを一体に組み込んで形成するとともに、
前後の各収納部の間に前側収納部と後側収納部とを互いに連通させる商品搬出口を有し、
前記前側収納部の両側には前記商品搬出装置の左右を支持する支持枠を、該各商品搬出口の下部周縁には該商品搬出装置の下面を係止する係止部をそれぞれ設け、該商品搬出装置を該各商品搬出口に貫通させ前後の収納部に配置した
ことを特徴とする自動販売機。
【請求項２】
前記各収納部を左右複数列に配置するとともに、前記商品搬出装置を左右に２個連結し、連結した該各商品搬出装置を隣接する左右の各収納部に一体に配置した
ことを特徴とする請求項１記載の自動販売機。
【発明の詳細な説明】
【０００１】
【発明の属する技術分野】
本発明は、後側収納部の商品を前側収納部に搬送する商品搬出装置を有する自動販売機に関するものである。
【０００２】
【従来の技術】
従来、この種の自動販売機として出願人は既に特願平８ー５４９２０号に係る出願を提案している。
【０００３】
この自動販売機は、個別に区画された商品収納室を上下複数段に配置し、この商品収納室に前後に連通する２個の収納部を有する構造となっている。また、商品を販売するときは、まず、前側収納部の商品を販売し、この商品販売の後に空になった前側収納部に後側収納部の商品を搬出させ、この搬出された商品を次回に販売する。
【０００４】
ここで、各商品収納室はワイヤ等を用いて区画形成する一方、この商品収納室に搬出手段（後側収納部の商品を前側収納部に搬出する搬送手段）の部品を組み付けて構成している。
【０００５】
【発明が解決しようとする課題】
しかしながら、このような搬出手段の組み付け構造では部品毎に商品収納室に組み付けなければならないため、搬出装置の組み付け作業が面倒なものとなっていたし、また、従来の組み付け構造では前後１組の収納部に対して１個の搬出装置を組み付けることから、この組み付け工数が商品収納室の数分作業しなければならなかった。
【０００６】
本発明の目的は前記従来の課題に鑑み、商品搬出装置をユニット化し、商品搬出装置の組付けを簡単にできる自動販売機を提供することにある。
【０００７】
【課題を解決するための手段】
本発明は前記課題を解決するため、請求項１の発明は、前後に対向する商品の収納部を上下複数段に配置するとともに、後側収納部の商品を商品搬出装置で前側収納部に搬送する自動販売機において、商品搬出装置は前側収納部の商品を載せる網棚と、後側収納部の商品を載せる商品トレーと、商品トレーを前後に案内する軌道軸と、商品トレーを前方に付勢するバネ手段とを一体に組み込んで形成するとともに、前後の各収納部の間に前側収納部と後側収納部とを互いに連通させる商品搬出口を有し、前側収納部の両側には商品搬出装置の左右を支持する支持枠を、各商品搬出口の下部周縁には商品搬出装置の下面を係止する係止部をそれぞれ設け、商品搬出装置を各商品搬出口に貫通させ前後の収納部に配置した構造となっている。
【０００８】
この発明によれば、商品搬出装置を構成する商品トレー等の部品が予め一体に組み込まれてユニット化され、このユニット化された商品搬出装置を支持枠に支持し、更に係止部に係止するだけで商品搬出装置の組み付けが完了する。
【０００９】
なお、このような商品搬出装置を左右に２個連結するときは、１回の組み付け作業で２個の商品搬出装置の組み付け作業が完了する。
【００１０】
【発明の実施の形態】
図１乃至図６は本発明に係る自動販売機の一実施形態を示すもので、図１は自動販売機の正面図、図２は自動販売機の側面断面図、図３は商品搬出装置の組み付け方法を示す組立斜視図、図４は商品搬出装置の平面図、図５は商品搬出装置の組み付け状態を示す正面図、図６は商品搬出装置の商品搬出口周縁への組み付け方法を示す組立斜視図である。
【００１１】
この自動販売機は縦長の断熱箱にて構成された自動販売機本体１内に前面開口の内箱２を設け、この自動販売機本体１の前面開口を外扉３にて開閉自在としている。また、この自動販売機本体１と内箱２との間に通風ダクト４を形成しており、送風機５にて蒸発器６で冷却された空気を通風ダクト４に循環し（図２の１点鎖線矢印）、庫内冷却を行っている。また、この内箱２の前面開口には中扉７を設ける一方、内箱２の内部には上下及び左右に複数段に多数の商品収納室８を形成し、各商品収納室８と対向する中扉７の部位には商品収納室８の小扉９を設置している。また、この各商品収納室８は、互いに隣接する商品収納室８間で冷気が流通するよう縦横に多数のワイヤ８ａを組み込んで形成している。
【００１２】
なお、自動販売機の前面にはコイン投入口１０、紙幣投入口１１、返却レバー１２、返却口１３、投入金額等を表示するセグメント表示器１４等が設置される一方、小扉９には商品選択を行う選択スイッチ１５が設置されている。ここで、前側の商品Ａを購入するときは、コイン投入口１０に購入商品の金額（或いはそれ以上の金額）のコインを投入し、その後、外扉３を開放し、更に購入商品に対応する選択スイッチ１５を押す。しかる後、この選択スイッチ１５に対応する小扉９を開放し、商品Ａを取り出すようになっている。
【００１３】
このように構成された自動販売機において、前記各商品収納室８は前後に分割する内扉８１を有し、この内扉８１の前側には前側収納部８２ａを、後側には後側収納部８２ｂをそれぞれ形成している。ここで、この内扉８１は図３に示すように、前後の収納部８２ａ，８２ｂの間に立設された仕切り板８３に軸支されたもので、この仕切り板８３に形成された商品搬出口８３１を開閉し、後側収納部８２ｂを閉鎖或いは開放するようになっている。
【００１４】
また、前後の収納部８２ａ，８２ｂには商品Ａを載置及び搬送する商品搬出装置８４が設置されている。この商品搬出装置８４は前側収納部８２ａの商品を載せる網棚８４１と後側収納部８２ｂの商品Ａを載せる商品トレー８４２とを有し、この網棚８４１及び商品トレー８４２を左右の案内レール８４３で支持している。また、商品トレー８４２の前寄りには連結筒８４４を嵌め込み、更には、この連結筒８４４を各収納部８２ａ，８２ｂの前後に亘って配置された軌道軸８４５に貫通させている。これにより、商品トレー８４２が前後の各収納部８２ａ，８２ｂに亘って摺動自在となっている。更にまた、この軌道軸８４５にはコイルバネ８４６が巻回しており、このコイルバネ８４６により連結筒８４４を前方に付勢し、商品トレー８４２を前方に付勢するようになっている。これにより、商品トレー８４２を後方（後側収納部８２ｂ）側に移動し内扉８１を閉鎖するときは、この内扉８１により商品トレー８４２が後側収納部８２ｂに配置された状態となる（待機状態）。一方、この内扉８１を開放するときは、内扉８１による移動規制が解除されるため、商品トレー８４２が前側収納部８２ａに移動し（図４に示す商品トレー８４２の位置に移動し）、次回の商品販売に備えることとなる。
【００１５】
このように構成された商品搬出装置８４において左右２個の商品搬出装置８４が図４及び図５に示すように一体に連結されている。即ち、商品搬出装置８４の網棚８４１は図４に示すように左右の商品トレー８４２の下面側全体に配置されており、この網棚８４１が左右の商品搬出装置８４の案内レール８４３とこの案内レール８４３の支持板８４７との間に挟持され一体となっている。また、この網棚８４１の幅方向中央には仕切り網８４８が立設しており、この仕切り網８４８で各商品収納室８の前側収納部８２ａが仕切られ、これにより、左右の前側収納部８２ａの商品Ａが互いに衝突等しないようになっている。
【００１６】
以上のように構成された商品搬出装置８４を自動販売機本体１に組み込む構造として本実施形態では次の構造を備えている。即ち、商品搬出装置８４の網棚８４１の左右には外側に突出した案内ワイヤ８４１ａを有する一方、左右の案内レール８４３間の長手方向略中央には図４に示すように引っ掛けプレート８４９が設置されている。
【００１７】
他方、この商品搬出装置８４を支持する部材として図３に示すように一対の支持枠１６，１７を有している。各支持枠１６，１７はワイヤにて形成された支持枠本体１６１，１７１とこの支持枠本体１６１，１７１の上下を連結する連結板１６２，１７２を有している。この支持枠本体１６１，１７１は上下に延びる一対の縦ワイヤ１６１ａ，１７１ａに内側に向かって延びる支持ワイヤ１６１ｂ，１７１ｂを連結している。ここで、支持ワイヤ１６１ｂは図５に示すように内側に向かって水平に延びその先端に断面略コ字状の支持部を有し、この支持部に網棚８４１の一方の案内ワイヤ８４１ａ（図５に向かって左側の案内ワイヤ８４１ａ）を嵌め込んでいる。一方、支持ワイヤ１７１ｂは図５に示すように内側に向かって断面略コ字状に形成され、この支持ワイヤ１７１ｂに網棚８４１の他方の案内ワイヤ８４１ａ（図５に向かって右側の案内ワイヤ８４１ａ）を嵌め込んでいる。これにより、商品搬出装置８４の左右が支持枠１６，１７に摺動自在で支持される。
【００１８】
また、同じく商品搬出装置８４を支持する部材として図６に示すように係止穴８３１ａを有している。この係止穴８３１ａは商品搬出口８３１の下部周縁に形成され、この係止穴８３１ａに図６に示すように引っ掛けプレート８４９を係止することにより、商品搬出装置８４の前後への移動が規制される。
【００１９】
ここで、商品搬出装置８４を組み込むときは、まず、支持枠１６，１７の支持ワイヤ１６１ｂ，１７１ｂに商品搬出装置８４の案内ワイヤ８４１ａを嵌め込む。次いで、商品搬出装置８４を後側収納部８２ｂに向かって押し、この商品搬出装置８４を商品搬出口８３１に貫通させる。しかる後、係止穴８３１ａに商品搬出装置８４の引っ掛けプレート８４９を係止する。これにより、商品搬出装置８４が自動販売機本体１に組み込まれることとなる。
【００２０】
以上のように本実施形態に係る商品搬出装置８４は商品トレー８４２等の部品が一体に組み込まれたユニットとなっているし、また、左右の商品搬出装置８４が網棚８４１により一体に連結されているため、商品搬出装置８４の組み付け工数が少なく、組み付け作業が非常に簡単になる。
【００２１】
【発明の効果】
以上説明したように、本発明によれば、商品搬出装置を構成する商品トレー等の部品が予め一体に組み込まれてユニット化され、このユニット化された商品搬出装置を支持枠に支持し、更に係止部に係止するだけで商品搬出装置の組み付けが完了するため、商品搬出装置の組み付け作業が非常に簡単になる。
【図面の簡単な説明】
【図１】自動販売機の正面図
【図２】自動販売機の側面断面図
【図３】商品搬出装置の組み付け方法を示す組立斜視図
【図４】商品搬出装置の平面図
【図５】商品搬出装置の組み付け状態を示す正面図
【図６】商品搬出装置の商品搬出口周縁への組み付け方法を示す組立斜視図
【符号の説明】
１…自動販売機本体、１６，１７…支持枠、８２ａ…前側収納部、８２ｂ…後側収納部、８４…商品搬出装置、８３１…商品搬出口、８４１…網棚、８４２…商品トレー、８４５…軌道軸、８４６…コイルバネ、Ａ…商品。
【図１】
0003854696.tif 000002
【図２】
0003854696.tif 000003
【図３】
0003854696.tif 000004
【図４】
0003854696.tif 000005
【図５】
0003854696.tif 000006
【図６】
0003854696.tif 000007